(57)【特許請求の範囲】
【請求項１】
グリッド材の幅方向に沿って取り付けられ、連結されるグリッド材の端部を揃えて折り返した部分を挿通させるグリッド材挿通スリットを形成するように仕切材が設けられた枠体フレームと、前記仕切材近傍の前記グリッド材の折り返し部分に取り付けられ、前記挿通スリットから前記折り返した部分が抜けないようにしたストッパとを備えた連結治具により前記グリッド材の連結を行うようにしたことを特徴とする地盤補強用グリッド材の連結構造。
【請求項２】
グリッド材の幅方向に沿って取り付けられ、連結されるグリッド材の端部を揃えて折り返した部分の網目を貫通する細棒体が、棒部材の長手方向に所定ピッチで櫛歯状をなして列設された尖状部を有する枠体フレームと、前記折り返した部分貫通した尖状部の先端に係止され、前記尖状部が前記網目から抜けないようにした係止部材とを備えた連結治具により前記グリッド材の連結を行うようにしたことを特徴とする地盤補強用グリッド材の連結構造。
【請求項３】
前記細棒体は、前記グリッド材の目合い寸法の倍数の間隔をあけて、前記棒部材の長手方向に列設されたことを特徴とする請求項２記載の地盤補強用グリッド材の連結構造。
【発明の詳細な説明】
【０００１】
【発明の属する技術分野】
本発明は地盤補強用グリッド材の連結構造に係り、特にグリッド材の連結を容易に行えるようにした地盤補強用グリッド材の連結構造に関する。
【０００２】
【従来の技術】
近年、ジオテキスタイルあるいはジオシンセティクスと呼ばれる樹脂複合材料による地盤補強が行われている。その一例として図９に示したような補強盛土工法等も施工されている。この補強盛土工法では、格子網状に樹脂成形されたグリッド材５１を土と交互に積層して補強土を構成し、補強盛土を築造される。この種の補強盛土工法に使用されるグリッド材５１は、所定の幅（たとえば２ｍ）の長さ５０ｍ程度のロール形状の荷姿で現場に搬入され、盛土の外的安定性を満足するように盛土背面のすべり面Ｓより長い設計長さ（敷設長さ）に切断され、各層ごとに幅方向に並べて敷きつめるように施工されている。このときすべり面Ｓを横切るグリッド材５１は土塊滑りによって生じるせん断力や引き抜き力に抵抗できる強度が得られるように設計されている。また、補強材としての強度低下のおそれがあるので、すべり面Ｓ内ではグリッド材５１は連結しないような設計が行われていた。このため、１本のロールを所定の長さに切断して使用する際、設計長さ分が確保できない半端なロール部分はロスとして処理されてきた。
【０００３】
しかし、材料の経済性を考慮した場合、グリッド材を連結した部分においてもグリッド材と同等の引張強度が確保できれば、半端な長さに不足している分を連結して使用することができ、ロスの発生を最小限にすることができる。
【０００４】
このような観点から、図１０、図１１に示したようなグリッド材の連結構造５０、５５がすでに提案されている。図１０は従来のグリッド材５１の連結構造５０の一例を示した説明図である（特開平９−２２８３７２号公報参照）。このグリッド材５１の連結構造５０では連結されるグリッド材５１の端部５１ａにおいて、それぞれのグリッド材５１のたて糸に相当するストランド５２が所定の範囲にわたり絡み合うように螺旋状に捻り加工されている。さらにこの螺旋状の捻り部分５３に鉄筋等の連結棒５４を挿入して連結部分の一体化を図っている。
【０００５】
また、図１１に示したグリッド材５６の連結構造５５では、重ね合わされたグリッド材５６、５６の目合いに沿って接続ロープ５７をループ状に編み上げていくことにより、グリッド材５６の連結を図っている。このとき連結部分５８が弱部とならないように接続ロープ５７の強度や耐久性はグリッド材５６と同等以上になるように選択されている。
【０００６】
【発明が解決しようとする課題】
以上に示したグリッド材の連結構造では、いずれも連結するグリッド材のストランドや目合い部分を１箇所ずつ連結する方法を採用しているため、連結作業に手間がかかり、グリッド材の敷設作業全体の作業効率が低下してしまい、グリッド材を連結して使用するという経済的な利点も生かすことができない。
【０００７】
そこで、本発明の目的は上述した従来の技術が有する問題点を解消し、グリッド材同士の連結作業を迅速に行えるようにした地盤補強用グリッド材の連結構造を提供することにある。
【０００８】
【課題を解決するための手段】
上述の目的を達成するために、本発明はグリッド材の幅方向に沿って取り付けられ、連結されるグリッド材の端部を揃えて折り返した部分を挿通させるグリッド材挿通スリットを形成するように仕切材が設けられた枠体フレームと、前記仕切材近傍の前記グリッド材の折り返し部分に取り付けられ、前記挿通スリットから前記折り返した部分が抜けないようにしたストッパとを備えた連結治具により前記グリッド材の連結を行うようにしたことを特徴とする。
【０００９】
第２の発明として、グリッド材の幅方向に沿って取り付けられ、連結されるグリッド材の端部を揃えて折り返した部分の網目を貫通する細棒体が、棒部材の長手方向に所定ピッチで櫛歯状をなして列設された尖状部を有する枠体フレームと、前記折り返した部分貫通した尖状部の先端に係止され、前記尖状部が前記網目から抜けないようにした係止部材とを備えた連結治具により前記グリッド材の連結を行うようにしたことを特徴とする。
【００１０】
前記第２の発明において、前記細棒体は前記グリッド材の目合い寸法の倍数の間隔をあけて前記枠体フレームの棒部材に列設され、櫛歯状の尖状部を形成することが好ましい。
【００１２】
【発明の実施の形態】
以下、本発明の地盤補強用グリッド材の連結構造の一実施の形態について、添付図面を参照して説明する。
図１は地盤補強用のグリッド材１の連結構造１０を部分的に拡大して示した斜視図である。同図に示したように、本発明でもグリッド材１として所定強度を有する樹脂ストランド２を格子状に所定の目合いで編んで樹脂コーティングした公知のジオテキスタイルが使用されている。本実施の形態では、高強度ビニロン繊維を集束したストランド２を２０ｍｍ×２０ｍｍ目合いの格子状に成形し、表面を樹脂コーティングしたグリッド材１の連結構造１０について説明する。この連結構造１０ではグリッド材１の端部１ａを折り返すようにして連結するための連結治具２０が使用されている。この連結治具２０は図示したようにグリッド材１の幅方向に延在する細長い□形状の枠体を、棒状の中央仕切材２３で２箇所のグリッド材挿通スリット２４ａ、２４ｂに仕切った金属製の枠体フレーム２１とストッパ２２（後述）とからなる。枠体フレーム２１の長さは１ロールのグリッド材１の幅よりわずかに大きく設定されている。さらに、図示したように折り返して連結されたグリッド材１の連結が解けないようにするためにストッパ２２が袋状に折り返されたグリッド材１内に挿入されている。ストッパ２２は全長が連結治具２０の長さに等しい棒材で、本実施の形態では表面に凹凸のある異形鉄筋が使用されている。
【００１３】
ここで、連結治具２０によるグリッド材１の連結方法について、図３（ａ）、（ｂ）を参照して説明する。
２枚のグリッド材１の端部１ａをロール長手方向に連結するには、２枚のグリッド材１の端部１ａを全幅にわたって重ねるように揃えて折り返し、図３（ａ）に示したように枠体フレーム２１の一方のグリッド材挿通スリット２４ａに折り返した部分１ｂを挿通し、さらに中央仕切材２３で折り返すようにして他方のグリッド材挿通スリット２４ｂに挿通する。これと同時に図３（ｂ）に示したように、袋状になった折り返し部分１ｂに棒状のストッパ２２を挿入し、折り返し部分１ｂがグリッド材挿通スリット２４ｂから抜けないようにする。これにより図３（ｂ）に示したように矢印方向にグリッド材１に引張力が作用した場合にもグリッド材１の連結が解けないようにすることができる。
【００１４】
図２は図１に示した枠体フレーム２１の変形例を示したものである。この枠体フレーム２１では側方部材が切り取られ、その代わりに枠体フレーム２１の側部２１ａを覆うキャップ２８が取り付けられるようになっている。枠体フレーム２１をこのような形状とすることにより、２枚を重ねて折り返し、折り返し部分１ｂを全幅にわたってグリッド挿通スリット２４ａ、２４ｂ（図１参照）に差し込む代わりに、折り返し部分の袋状部にストッパ（図示せず）を挟み、中央仕切材２３でグリッド材挿通スリット２４ａ、２４ｂにグリッド材が位置するように側方から枠体フレーム２１を挿通し、キャップ２８を被せるだけで簡単に連結作業を行える。
【００１５】
図３（ｃ）は枠体フレーム２１の各部材の断面形状を四角形状とした例を示している。このように断面形状を角形とすることにより枠体フレーム２１と折り返されたグリッド材１との摩擦を大きくすることができる。これにより、同図に示したように中央仕切材２３を介して２枚のグリッド材１の端部１ａを重ね合わせて挿通させただけも十分な表面摩擦が得られ、グリッド材１に引張力が作用しても十分な引張強度を発揮することができる。
【００１６】
図３（ｄ）は図１で枠体フレーム２１を構成した棒部材３１の一方にグリッド材１の目合いに合ったピッチで細棒体３３，３３…が櫛歯状をなすように列設された尖状部３２を形成し、この尖状部３２の各細棒体３３の先端を折り返したグリッド材１の網目に貫通させ、さらにこの状態から尖状部３２が引き抜けないようにその先端を係止部材３５で係止するようにした連結構造１０を模式的に示したものである。この枠体フレーム２１では中央仕切材２３は枠体フレーム２１の両端を構成する棒部材３１と係止部材３５と（図３（ｄ），図４，図５参照）に対して図示した断面において１列にならないようにずらして配置されている。このとき棒部材３１と中央仕切材２３とは図示しない長手方向の端部が連結されていてもよいし、図２に示したようにキャップ２８を取り付けることにより中央仕切材２３の端部と棒部材３１の端部とを一体化する構造としてもよい。図３（ｅ）は図１，図２に示した枠体フレーム２１の変形例によってグリッド材１を係止するようにした連結構造１０の断面を模式的に示したものである。同図に示したように、枠体フレーム２１は中央仕切材２３がなく、２本の枠体フレーム２１間を挿通スリット２４ｃとしている。したがって、図１の場合と同様に、２枚のグリッド材１の端部１ａを全幅にわたって重ねるように揃えて折り返し挿通スリット２４ｃに折り返した部分１ｂを挿通し、さらに袋状になった折り返し部分１ｂに棒状のストッパ２２を挿入し、折り返し部分１ｂがグリッド材挿通スリット２４ｂから抜けないようにすることができる。この変形例は部材がコンパクトであり、連結作業も簡素化できる。なお、部材強度、変形抵抗性の点からこの変形例は、グリッド材１にかかる引張力が比較的小さいときに適用することが好ましい。
【００１７】
以下、図３（ｄ）で説明した棒部材３１に形成された櫛歯形状に細棒体３３が列設された尖状部３２と、尖状部３２の先端に係止される係止部材３５の各種の実施の形態について図４〜図８を参照して説明する。図４には丸鋼材からなる棒部材３１の側面にグリッド材１の目合い寸法の倍数寸法に相当する間隔で細棒体３３が櫛歯状に列設され、形成された尖状部３２を有する枠体フレーム２１からなる連結治具２０が示されている。また、細棒体３３の先端には円錐状突起３４が固着されている。尖状部３２と同じ間隔で切欠部３６が形成された細長い板状の係止部材３５が併せて示されている。この板状の係止部材３５の切欠部３６をグリッド材１の網目を貫通した尖状部３２の細棒体３３に係止させて、尖状部３２がグリッド材１の網目から引き抜けないようにしている。
【００１８】
図５には図４に示した円錐状突起３４に代えて球状突起３７が形成された尖状部３２が示されている。また、この尖状部３２の球状突起３７が係止される係止部材３５として樹脂製のパイプが示されている。このパイプ３５には長手方向にスリット３８が形成されており、このスリット３８に細棒体３３が挟まれ、球状突起３７がパイプ３５内に収容され、尖状部３２がグリッド材１の網目から抜けないようになっている。
【００１９】
図６は図５までの実施の形態と異なり、平板を加工して棒部材４１自体が櫛歯形状をなすようにした実施の形態を示したものである。この棒部材４１は形鋼を折曲加工するとともに、グリッド材１の目合い寸法に合わせて所定間隔をあけて切欠部４２を形成してある。また、下面に設けられた折曲フック４３により係止部を構成し、同様の折曲フック４４が形成された係止部材４５と係合させることにより中央仕切材２３に巻き付けるようにして連結された２枚のグリッド材１の連結が解かれないようになっている。
【００２０】
図７は図８（ａ）に示したように棒部材３１と係止部材３５とをボルト接合するようにした実施の形態を示したものである。この場合には細棒体３３にはネジ３３ａが切られており、係止部材３５には細棒体３３が挿通可能な貫通孔４６が形成されている。図８（ｂ）に示したように連結するグリッド材１の端部１ａを束ねた状態で中央仕切材２３に巻き付け、細棒体３３のネジ３３ａを係止部材３５の貫通孔４６に挿通してナット４７を締め込むことにより図７のように端部１ａを折り返した状態でグリッド材１を連結することができる。
【００２１】
図４〜図７に示した棒部材３１、４１、中央仕切材２３、係止部材３５，４５の材質としては中実鋼材の他、所定強度が得られるならばパイプ材や樹脂成形品を使用することができる。また、枠体フレームは全長が長く幅が狭い。このためグリッド材に作用した引張力により変形するおそれがある場合には、必要に応じてフレームの中間位置に棒部材、中央仕切材、係止部材を一体的に束ね、変形を抑える補強バンドを設けることも好ましい。
【図面の簡単な説明】
【図１】本発明による地盤補強用グリッド材の連結構造の一実施の形態を示した部分斜視図。
【図２】図１に示した地盤補強用グリッド材の連結構造の変形例を示した斜視図。
【図３】グリッド材の連結状態を模式的に示した連結治具の断面図。
【図４】尖状部を有する連結治具の実施の形態を示した部分斜視図。
【図５】尖状部を有する連結治具の他の実施の形態を示した部分斜視図。
【図６】尖状部を有する連結治具の他の実施の形態を示した部分斜視図。
【図７】尖状部を有する連結治具の他の実施の形態を示した部分斜視図。
【図８】図７に示した連結治具の連結状態を模式的に示した連結治具の断面図。
【図９】グリッド材を用いた補強盛土の一例を示した概略斜視図。
【図１０】従来のグリッド材の連結治具の一例を示した部分斜視図。
【図１１】従来のグリッド材の連結治具の他の例を示した部分正面図。
【符号の説明】
１  グリッド材
１０  連結構造
２０  連結治具
２１  枠体フレーム
２２  ストッパ
２３  中央仕切材
２４ａ，２４ｂ，２４ｃ  挿通スリット
３１，４１  棒部材
３２  尖状部
３５，４５  係止部材
【図１】
0004022321.tif 000002
【図２】
0004022321.tif 000003
【図３】
0004022321.tif 000004
【図４】
0004022321.tif 000005
【図５】
0004022321.tif 000006
【図６】
0004022321.tif 000007
【図７】
0004022321.tif 000008
【図８】
0004022321.tif 000009
【図９】
0004022321.tif 000010
【図１０】
0004022321.tif 000011
【図１１】
0004022321.tif 000012